(57)【要約】      （修正有）【課題】クリップ等のない筆記具にも使用できて、しかも手帳のメモ用紙を切り離して使用した場合であっても、筆記具が脱落するおそれのない筆記具収納機能付の手帳を提供する。【解決手段】本手帳１は、表紙２が、該表紙２と裏表紙３との間に介装されたメモ用紙４に対して背面付近を中心として開閉可能であり、かつ、当該メモ用紙４を上から順に切り離して使用可能な手帳の内部に、筆記具としての鉛筆１２を収納できるように構成する。さらに、メモ用紙４の背面寄りに形成された長尺の収納溝周り５を残りのメモ部分から切り離させる切り離し手段と、鉛筆１２を収納した収納溝７から外部に向けてその鉛筆１２を浮き上がらせる浮き上がり手段とを備えている。【選択図】図１
0003177099.tif 000002
【実用新案登録請求の範囲】
【請求項１】
表紙が、該表紙と裏表紙との間に介装されたメモ用紙に対して背面付近を中心として開閉可能であり、かつ、当該メモ用紙を上から順に切り離して使用可能な手帳の内部に、筆記具を収納することのできる筆記具収納機能付きの手帳であって、
メモ用紙の背面寄りに形成された長尺の筆記具収納部分を残りのメモ部分から切り離させる切り離し手段と、
前記筆記具収納部分からその外部に向けて筆記具を浮き上がらせる浮き上がり手段と
を備えたことを特徴とする手帳。
【請求項２】
前記切り離し手段は、前記筆記具収納部分と前記メモ部分との間に形成されたミシン目であることを特徴とする請求項１記載の手帳。
【請求項３】
前記ミシン目に沿って、前記筆記具収納部分を上部から押圧可能な透明板を備えたことを特徴とする請求項２記載の手帳。
【請求項４】
前記浮き上がり手段は、前記筆記具収納部分の底部に敷設されるとともに、該筆記具収納部分の長尺方向の外部に延設されたリボンであることを特徴とする請求項１〜３のいずれか１項に記載の手帳。
【請求項５】
前記リボンは、前記筆記具収納部分の底部に少なくとも１箇所で固定されていることを特徴とする請求項４記載の手帳。
【請求項６】
前記浮き上がり手段は、前記筆記具収納部分の底部の長尺方向における少なくとも一側を先上がりに傾斜させた傾斜部であることを特徴とする請求項１〜３のいずれか１項に記載の手帳。
【請求項７】
前記浮き上がり手段は、前記筆記具収納部分の底部の長尺方向における少なくとも一側に設けられた弾性体であることを特徴とする請求項１〜３のいずれか１項に記載の手帳。
【請求項８】
前記浮き上がり手段は、前記筆記具収納部分の底部の長尺方向における少なくとも一側に設けられた貫通孔であることを特徴とする請求項１〜３のいずれか１項に記載の手帳。
【考案の詳細な説明】
【技術分野】
【０００１】
本考案は、手帳に関し、詳しくは筆記具収納機能付きの手帳に関するものである。
【背景技術】
【０００２】
従来の手帳では、それを閉じた状態でペンや鉛筆を手帳外に取り付けるつくりのものが主流であった。しかしながら、ペンや鉛筆を手帳外に取り付けた場合は、持ち運びの際にそのペンや鉛筆が邪魔となり、そのペンや鉛筆が手帳から脱落するおそれもあった。
【０００３】
そこで、例えば特許文献１では、複数のメモ用紙を順に積層しかつその背面で糊付け丁合するとともに、表紙カバーを取付けてしてなる手帳の内部に収納溝があって、筆記具が収納可能であるペン収納付手帳が開示されている。ここでは、クリップのある筆記具の該クリップを挿入係止し得る切溝を表紙カバーの一部に穿設するとともに、クリップのない筆記具を取り出すために収納溝の中央側部に指先を挿入し得る切り欠きを穿設している。
【０００４】
また、特許文献２には、手帳の中の一部を切り抜いて収納ポケットを作り、この中に筆記具が収納できる手帳が開示されている。ここでは、表紙又は裏表紙に筆記具等を固定する止め具を設けている。
【考案の概要】
【考案が解決しようとする課題】
【０００５】
上記特許文献１、２では、筆記具がクリップや止め具を係止する部分で表紙に係止された状態で収納溝（収納ポケット）に収納されており、その筆記具を手帳の背面を中心として表紙とともに回転させて取り出すことができる。しかしながら、クリップ等のない筆記具には適用不可能である。
【０００６】
この点、特許文献１では、クリップ等のない筆記具を取り出すために収納溝の中央側部に指先を挿入し得る切り欠きを穿設しているものの、手帳のメモ用紙を切り離して使用した場合には、その使用により頁数が少なくなると収納溝が浅くなって筆記具が脱落してしまうといった問題があった。
【０００７】
本考案は、このような事情に鑑みてなされたもので、クリップ等のない筆記具にも使用できて、しかも手帳のメモ用紙を切り離して使用した場合であっても、筆記具が脱落するおそれのない筆記具収納機能付の手帳を提供することを目的とする。
【課題を解決するための手段】
【０００８】
本考案は、表紙が、該表紙と裏表紙との間に介装されたメモ用紙に対して背面付近を中心として開閉可能であり、かつ、当該メモ用紙を上から順に切り離して使用可能な手帳の内部に、筆記具を収納することのできる筆記具収納機能付きの手帳であって、メモ用紙の背面寄りに形成された長尺の筆記具収納部分を残りのメモ部分から切り離させる切り離し手段と、前記筆記具収納部分からその外部に向けて筆記具を浮き上がらせる浮き上がり手段とを備えたことを特徴とするものである。なお、筆記具には鉛筆やボールペンを含む。
【０００９】
本考案によれば、メモ用紙の背面寄りに形成された長尺の筆記具収納部分を残りのメモ部分から切り離させる切り離し手段と、前記筆記具収納部分からその外部に向けて筆記具を浮き上がらせる浮き上がり手段とを備えたので、クリップ等のない筆記具にも適用できる。しかも、手帳のメモ用紙の筆記具収納部分を残りのメモ部分から切り離して使用することにより当該メモ部分の頁数が少なくなったとしても、筆記具収納部分を所定の深さに維持することによりその筆記具収納部分から筆記具が脱落するおそれがなくなる。また、筆記具を使用するときに、その所定深さの筆記具収容部分に収納された筆記具を該筆記具収納部分から外部に向けて浮き上がらせることにより容易に取り出すことができる。
【００１０】
また、前記切り離し手段は、前記筆記具収納部分と前記メモ部分との間に形成されたミシン目であることが好ましい。
【００１１】
この場合、前記切り離し手段は、前記筆記具収納部分と前記メモ部分との間に形成されたミシン目であるので、メモ部分を切り離していっても筆記具の収納部分を所定の深さに維持することができる。
【００１２】
また、前記ミシン目に沿って、前記筆記具収納部分を上部から押圧可能な透明板を備えることが好ましい。
【００１３】
この場合、前記ミシン目に沿って、前記筆記具収納部分を上部から押圧可能な透明板を備えたので、前記ミシン目に沿ってメモ部分を容易に切り離せるようになる。
【００１４】
また、前記浮き上がり手段は、前記筆記具収納部分の底部に敷設されるとともに、該筆記具収納部分の長尺方向の外部に延設されたリボンであることが好ましい。
【００１５】
この場合、前記浮き上がり手段は、前記筆記具収納部分の底部に敷設されるとともに、該筆記具収納部分の長尺方向の外部に延設されたリボンであるので、使用者がリボン端を引っ張るだけで、筆記具収納部分の外部に向けて筆記具を容易に浮き上らせることができる。
【００１６】
また、前記リボンは、前記筆記具収納部分の底部に少なくとも１箇所で固定されていることが好ましい。
【００１７】
この場合、前記リボンは、前記筆記具収納部分の底部に少なくとも１箇所で固定されているので、使用者がリボン端を引っ張るだけで、筆記具収納部分の外部に向けて筆記具を確実に浮き上らせることができる。
【００１８】
或いは、前記浮き上がり手段は、前記筆記具収納部分の底部の長尺方向における少なくとも一側を先上がりに傾斜させた傾斜部であることが好ましい。
【００１９】
この場合、前記浮き上がり手段は、前記筆記具収納部分の底部の長尺方向における少なくとも一側を先上がりに傾斜させた傾斜部であるので、この一側と反対側にある筆記具の他側を使用者が指で押すだけで、筆記具収納部分の外部に向けて筆記具を容易に浮き上らせることができる。
【００２０】
或いは、前記浮き上がり手段は、前記筆記具収納部分の底部の長尺方向における少なくとも一側に設けられた弾性体であることが好ましい。
【００２１】
この場合、前記浮き上がり手段は、前記筆記具収納部分の底部の長尺方向における少なくとも一側に設けられた弾性体であるので、表紙を開くだけで、その筆記具を弾性体の付勢力でもって自動的に浮き上らせることができる。なお、弾性体にはバネやゴムを含む。
【００２２】
或いは、前記浮き上がり手段は、前記筆記具収納部分の底部の長尺方向における少なくとも一側に設けられた貫通孔であることが好ましい。
【００２３】
この場合、前記浮き上がり手段は、前記筆記具収納部分の底部の長尺方向における少なくとも一側に設けられた貫通孔であるので、この貫通孔に使用者が指を差し込んで筆記具を押すだけで、その筆記具を容易に浮き上らせることができる。
【考案の効果】
【００２４】
本考案によれば、メモ用紙の背面寄りに形成された長尺の筆記具収納部分を残りのメモ部分から切り離させる切り離し手段と、前記筆記具収納部分からその外部に向けて筆記具を浮き上がらせる浮き上がり手段とを備えたので、クリップ等のない筆記具にも適用できる。しかも、手帳のメモ用紙の筆記具収納部分を残りのメモ部分から切り離して使用することにより当該メモ部分の頁数が少なくなったとしても、筆記具収納部分を所定の深さに維持することによりその筆記具収納部分から筆記具が脱落するおそれがなくなる。また、筆記具を使用するときに、その所定深さの筆記具収容部分に収納された筆記具を該筆記具収納部分から外部に向けて浮き上がらせることにより容易に取り出すことができる。
【図面の簡単な説明】
【００２５】
【図１】本考案の一実施形態に係る手帳の全体構成を示す斜視図である。
【図２】本手帳の表紙を閉じた状態を示す斜視図である。
【図３】本手帳の表紙を開いた状態を示す斜視図である。
【図４】変形例を示す説明図である。
【考案を実施するための形態】
【００２６】
図１は本考案の一実施形態に係る手帳１の全体構成を示す斜視図、図４（ａ）〜（ｄ）は本手帳１の収納溝７に収納された鉛筆１２を浮き上がらせる方法を例示する説明図である。なお、図１に示すように、この手帳１は、表紙２と、裏表紙３と、メモ用紙４と、筆記具収納部分としての収納溝周り５と、リング列６と、収納溝７と、透明板８と、ミシン目９と、リボン１０と、カシメ止め１１と、筆記具としての鉛筆１２とを備えている。
【００２７】
表紙２と、裏表紙３とは、メモ用紙４に比べて厚手のものであり、それぞれの左側に開けられた複数の孔（図示省略。）にリング列６をはめ込んで開閉自在とすることにより、表紙２と、裏表紙３との間に介装されたメモ用紙４を保護するようになっている。メモ用紙４は、複数枚の薄手の用紙を積層してなっており、その全頁に亘り収納溝周り（筆記具収納部分に相当する。）５でメモ用紙４の一部（メモ部分に相当する。）を切り離して使用するためのミシン目９を備えている（切り離し手段に相当する）。
【００２８】
透明板８は、メモ用紙４の収納溝周り５を、その上部から押圧することにより、前記メモ用紙４の一部の切り離しを容易にするものである。このため、透明板８は、収納溝７に収納された鉛筆１２を視認可能な透明度と前記押圧に必要な強度とを有する例えば合成樹脂製のものであって、リング列６と平行な向きにおいてはメモ用紙４と略同一寸法、その直角の向きにおいては収納溝７より幅広の寸法を有している。
【００２９】
ここで、収納溝７は、メモ用紙４の前頁に亘って背面寄りの部位に穿設されており、その長手方向は、リング列６と平行になっている。そして、収納溝７に収納した鉛筆１２を、この収納溝７から外部に向けて浮き上がらせるようになっている（浮き上がり手段に相当する。）
【００３０】
このために、例えば図４（ａ）に示すように、収納溝７の底部に敷設されるとともに、この収納溝７の長尺方向の外部に延設されたリボン１０を備えている。この場合は、表紙２と透明板８とを開いた状態で、使用者がリボン１０の端を引っ張るだけで、収納溝７の外部に向けて鉛筆１２を容易に浮き上らせることができるようになっている。このリボン１０は、収納溝７の底部となる裏表紙３の内側に２箇所のカシメ止め１１で固定されている。この場合は、表紙２と透明板８とを開いた状態で、使用者がリボン１０の端を引っ張るだけで、収納溝７の外部に向けて鉛筆１２を確実に浮き上らせることができるようになっている。
【００３１】
或いは図４（ｂ）に示すように、収納溝７の底部の長尺方向における少なくとも一側を先上がりに傾斜させた傾斜部７ａを備えている。この場合は、表紙２と透明板８とを開いた状態で、この一側と反対側にある鉛筆１２の他側を使用者が指１３で押すだけで、収納溝７の外部に向けて鉛筆１２を容易に浮き上らせることができるようになっている。
【００３２】
或いは図４（ｃ）に示すように、収納溝７の底部の長尺方向における少なくとも一側に設けられた弾性体としてのバネ１４を備えている。この場合は、表紙２と透明板８とを開くだけで、その収納溝７に収納された鉛筆１２をバネ１４の弾性付勢力でもって自動的に浮き上らせることができるようになっている。なお、このバネ１４に代えて、ゴムなどを使用してもよい。
【００３３】
或いは図４（ｄ）に示すように、収納溝７の底部の長尺方向における少なくとも一側に設けられた貫通孔１５を備えている。この場合は、表紙２と透明板８とを開いた状態で、前記貫通孔１５に使用者が指１６を差し込んで鉛筆１２を押すだけで、その収納溝７に収納された鉛筆１２を容易に浮き上らせることができるようになっている。
【００３４】
図２は本手帳１の表紙２を閉じた状態を示す斜視図、図３は本手帳１の表紙７を開いた状態を示す斜視図である。以下、本手帳１による動作例を説明する。
【００３５】
図２に示すように、最初に本手帳１は閉じた状態となっているものとする。このときには、表紙２と、裏表紙３との間に、複数枚のメモ用紙４が挟みこまれた状態となっており、表紙２の上下からリボン１０が若干はみ出している。この状態で、使用者は本手帳１を持ち歩くことができる。
【００３６】
ついで、図３に示すように、表紙２を、リング列６を中心にして反時計回りに回転させて開くと、メモ用紙４の収納溝７の上部に透明板８が覆った状態となる。透明板８の左側には複数の孔（図示省略。）が形成されており、その孔にリング列６が通されることにより、透明板８は開閉自在となっている。また、透明板８の右側は直線状に形成されており、ここにメモ用紙４のミシン目９を当てた状態となる。この状態でメモ用紙４をめくり上げると、メモ用紙４はミシン目９に沿って一部（メモ部分）が容易に切り離される。
【００３７】
ここで、透明板８を、リング列６を中心にして反時計回りに回転させて表紙２に重なるようにする。そして、図１に示すように、使用者がリボン１０の両端を持って上方に引っ張る。このときリボン１０は、２個のカシメ止め１１で収納溝７の底面となる裏表紙３に固定されているから、リボン１０はその前後にて傾斜した状態となる。これにより、そのリボン１０により鉛筆１２が収納溝７から持ち上げられて外部に取り出し可能となる。
【００３８】
そして、鉛筆１２を使用してメモ用紙４に情報を書き込んだ後、その鉛筆１２を再度収納溝7内に収納する。この際には、鉛筆１２の下部にリボン１０がくるようにして収納溝7内に収納する。しかる後に、表紙２を、透明板８とともにリング列６を中心にして反時計回りに回転させて閉じることで、図２の初期状態に簡単に戻すことができる。
【００３９】
以上説明したように、本手帳１によれば、メモ用紙４の背面寄りに形成された長尺の収納溝周り５を残りのメモ部分から切り離させる切り離し手段と、収納溝７からその外部に向けて鉛筆１２を浮き上がらせる浮き上がり手段とを備えたので、クリップ等のない鉛筆１２などの筆記具にも適用できる。しかも、手帳１のメモ用紙４の収納溝周り５を残りのメモ部分から切り離して使用することにより当該メモ部分の頁数が少なくなったとしても、収納溝７を所定の深さに維持することによりその収納溝７から鉛筆１２が脱落するおそれがなくなる。また、鉛筆１２を使用するときに、その所定深さの収納溝７に収納された鉛筆１２を該収納溝７から外部に向けて浮き上がらせることにより容易に取り出すことができる。
【００４０】
なお、上記実施形態では、図４（ａ）に示すように、浮き上がり手段としてリボン１０を単独で使用した場合を詳述しているが、これに代えて、図４（ｂ）〜（ｄ）に示すような、別の浮き上がり手段を単独で使用してもよいし、図４（ａ）〜（ｄ）に示すような、浮き上がり手段を適宜組み合わせて使用してもよい。
【００４１】
また、上記実施形態では、表紙２等に形成された孔にリング列６を通すことにより、その表紙２等をリング列６の周りに開閉自在なものとしているが、背面で糊付け丁合して開閉自在なものとしてもよい。
【００４２】
また、上記実施形態では、リボン１０は、２個のカシメ止め１１で収納溝７の底面である裏表紙３に固定されているが、このリボン１０は、少なくとも１個のカシメ止め１１で収納溝７の底面に固定されていればよい。その固定箇所は、収納溝７の底面であればよく、必ずしも裏表紙３でなくてもよい。
【００４３】
また、上記実施形態では、筆記具として鉛筆１２を例示しているが、ボールペン等であってもよいのはもちろんである。
【符号の説明】
【００４４】
１  手帳
２  表紙
３  裏表紙
４  メモ用紙
５  収納溝周り（筆記具収納部分に相当する。）
６  リング列
７  収納溝
８  透明板
９  切り目（切り離し手段に相当する。）
１０  リボン（浮き上がり手段に相当する。）
１１  カシメ止め
１２  鉛筆（筆記具に相当する。）
７ａ  傾斜部（浮き上がり手段に相当する。）
１４  バネ（弾性体、浮き上がり手段に相当する。）
１５  貫通孔（浮き上がり手段に相当する。）
【先行技術文献】
【特許文献】
【００４５】
【特許文献１】実開平１−１３１５６１号公報
【特許文献２】特開２００４−１４２４０２号公報
【図１】
0003177099.tif 000003
【図２】
0003177099.tif 000004
【図３】
0003177099.tif 000005
【図４】
0003177099.tif 000006